(57)【要約】【課題】受信妨害の問題を根本的に回避し、部品削減とコストダウンと高密度実装化とを図ることが可能な携帯電話装置を提供する。【解決手段】制御部１３はこの通話中に、メインメモリ部１４に格納されている画像データを読出し、その画像データをＬＣＤコントローラ部１６に送ってＬＣＤコントローラ部１６内のメモリ部１６２に格納する。ＬＣＤコントローラ部１６内において、タイミング制御部１６１は制御部１３から得るＩｄｌｅスロットのタイミング信号を用い、データ送出が許可されたタイミングか否かの判定を行う。タイミング制御部１６１は許可されたタイミングであれば、メモリ１６２に一時保持している画像データを、出力部１６３及びデータバス１０１を介してＬＣＤ表示部１７に送出する。【選択図】      図１
2004228816.tif 000002
【特許請求の範囲】
【請求項１】
表示部への画像表示制御に用いられる表示コントローラを含む携帯電話装置であって、
外部からのタイミング信号に応じて前記表示部への画像データの送出タイミングを制御する制御手段を前記表示コントローラに有することを特徴とする携帯電話装置。
【請求項２】
前記制御手段は、通信中のタイムスロットのタイミング信号にて同期をとり、前記画像データの送出タイミングを制御することを特徴とする請求項１記載の携帯電話装置。
【請求項３】
前記画像データの送出タイミングを制御する際に前記画像データの送出を通信品質に直接関係しないアイドルスロットの空き時間に行うことを特徴とする請求項２記載の携帯電話装置。
【請求項４】
前記画像データを保持するメモリを前記表示コントローラに含むことを特徴とする請求項１から請求項３のいずれか記載の携帯電話装置。
【請求項５】
前記画像データの送出タイミングを制御する際に前記画像データを前記メモリに一旦保持することを特徴とする請求項４記載の携帯電話装置。
【請求項６】
１スロット中のアイドルスロットの空き時間にて１フレーム表示させることを特徴とする請求項３から請求項５のいずれか記載の携帯電話装置。
【請求項７】
ＴＤＭＡ（Ｔｉｍｅ  Ｄｉｖｉｓｉｏｎ  ＭｕｌｔｉｐｌｅＡｃｃｅｓｓ）方式が用いられる場合、１スロット中のアイドルスロットの空き時間にて１フレーム表示させて最大５０フレーム／ｓｅｃの動画を表示させることを特徴とする請求項６記載の携帯電話装置。
【請求項８】
表示部への画像表示制御に用いられる表示コントローラを含む携帯電話装置の画像制御方法であって、前記表示コントローラ側に、外部からのタイミング信号に応じて前記表示部への画像データの送出タイミングを制御するステップを有することを特徴とする画像制御方法。
【請求項９】
前記画像データの送出タイミングを制御するステップは、通信中のタイムスロットのタイミング信号にて同期をとり、前記画像データの送出タイミングを制御することを特徴とする請求項８記載の画像制御方法。
【請求項１０】
前記画像データの送出タイミングを制御する際に前記画像データの送出を通信品質に直接関係しないアイドルスロットの空き時間に行うことを特徴とする請求項９記載の画像制御方法。
【請求項１１】
前記画像データの送出タイミングを制御する際に前記画像データを前記表示コントローラ内のメモリに一旦保持することを特徴とする請求項８から請求項１０のいずれか記載の画像制御方法。
【請求項１２】
１スロット中のアイドルスロットの空き時間にて１フレーム表示させることを特徴とする請求項１０または請求項１１記載の画像制御方法。
【請求項１３】
ＴＤＭＡ（Ｔｉｍｅ  Ｄｉｖｉｓｉｏｎ  Ｍｕｌｔｉｐｌｅ  Ａｃｃｅｓｓ）方式が用いられる場合、１スロット中のアイドルスロットの空き時間にて１フレーム表示させて最大５０フレーム／ｓｅｃの動画を表示させることを特徴とする請求項１２記載の画像制御方法。
【請求項１４】
表示部への画像表示制御に用いられる表示コントローラを含む携帯電話装置の画像制御方法のプログラムであって、コンピュータに、前記表示コントローラにおいて外部からのタイミング信号に応じて前記表示部への画像データの送出タイミングを制御する処理を実行させるためのプログラム。
【発明の詳細な説明】
【０００１】
【発明の属する技術分野】
本発明は携帯電話装置及びそれに用いる画像制御方法並びにそのプログラムに関し、特にＬＣＤ（Ｌｉｑｕｉｄ  Ｃｒｙｓｔａｌ  Ｄｉｓｐｌａｙ）等の表示部に対する画像表示の制御を行う方法に関する。
【０００２】
【従来の技術】
従来、ＬＣＤコントローラにおいては、ＬＣＤ画像表示の制御のために用いられている（例えば、特許文献１参照）。このようなＬＣＤ画像制御は通信のタイムスロットとは無関係に制御されるのが一般的である。
【０００３】
近年、携帯電話装置に撮像素子［例えば、ＣＣＤ（Ｃｈａｒｇｅ  Ｃｏｕｐｌｅｄ  Ｄｅｖｉｃｅ）等］の搭載とともに、通話中の動画表示（カメラを用いたＴＶ電話等）が要請されたり、着信中のアニメーション表示が要請されたりしており、これらの機能等が標準機能として要請される傾向にある。
【０００４】
上記の携帯電話装置の構成例を図７に示す。図７において、携帯電話機３はアンテナ３１と、無線部３２と、制御部３３と、メインメモリ部３４と、キー入力部３５と、出力部３６１を備えたＬＣＤコントローラ部３６と、ＬＣＤ表示部３７と、データバス３０１と、画像データバス３０２とから構成されている。
【０００５】
この携帯電話機３にはＴＤＭＡ（Ｔｉｍｅ  Ｄｉｖｉｓｉｏｎ  Ｍｕｌｔｉｐｌｅ  Ａｃｃｅｓｓ）［ＰＤＣ（Ｐａｒｓｏｎａｌ  Ｄｉｇｉｔａｌ  ｃｅｌｌｕｌａｒ）方式］が用いられており、上記の構成における１５フレーム／ｓｅｃで画面を書換えた場合の動作タイミングを図８に示す。
【０００６】
【特許文献１】
特開２００２−１２３２７３（第８〜１１頁、図１）
【０００７】
【発明が解決しようとする課題】
上述した従来の携帯電話装置では、上記の要請に応えるために、ＬＣＤデータバスから発生する受信妨害の問題を回避するための配慮が必要であり、一般的に、データラインへのＥＭＩ（Ｅｌｅｃｔｒｏ−Ｍａｇｎｅｔｉｃ  Ｉｎｔｅｒｆｅｒｅｎｃｅ：電磁波ノイズ）対策素子の追加、シールドの追加、電磁吸収シートの追加等が行われている。
【０００８】
従来の携帯電話装置では高密度実装と低コスト化とが要求されており、これらの追加部品がデータバスのライン数が多いほど多くなるため、実装やコストにおいて大きな負担となってしまう。
【０００９】
また、従来の携帯電話装置では、ＬＣＤコントローラにおいて、通信のタイムスロットとの同期がとられていないため、通信のタイムスロットと無関係に画像データが送出されてしまう。したがって、従来の携帯電話装置では、図８に示すように、受信スロットと画像送出とが重なる場合が発生し、受信妨害を起こすという問題がある。
【００１０】
そこで、本発明の目的は上記の問題点を解消し、受信妨害の問題を根本的に回避することができ、部品削減とコストダウンと高密度実装化とを図ることができる携帯電話装置及びそれに用いる画像制御方法並びにそのプログラムを提供することにある。
【００１１】
【課題を解決するための手段】
本発明による携帯電話装置は、表示部への画像表示制御に用いられる表示コントローラを含む携帯電話装置であって、
外部からのタイミング信号に応じて前記表示部への画像データの送出タイミングを制御する制御手段を前記表示コントローラに備えている。
【００１２】
本発明による画像制御方法は、表示部への画像表示制御に用いられる表示コントローラを含む携帯電話装置の画像制御方法であって、前記表示コントローラ側に、外部からのタイミング信号に応じて前記表示部への画像データの送出タイミングを制御するステップを備えている。
【００１３】
本発明による画像制御方法のプログラムは、表示部への画像表示制御に用いられる表示コントローラを含む携帯電話装置の画像制御方法のプログラムであって、コンピュータに、前記表示コントローラにおいて外部からのタイミング信号に応じて前記表示部への画像データの送出タイミングを制御する処理を実行させている。
【００１４】
すなわち、本発明の携帯電話装置は、ＬＣＤ（Ｌｉｑｕｉｄ  ＣｒｙｓｔａｌＤｉｓｐｌａｙ）コントローラとＬＣＤ表示部との間のＬＣＤデータバスから発生する通信中の受信妨害の問題に対し、ＬＣＤデータの伝送速度を高速化し、アイドル（Ｉｄｌｅ）スロットの空き時間で伝送することで、受信妨害の問題を回避している。
【００１５】
より具体的に説明すると、本発明の携帯電話装置では、ＬＣＤコントローラ部に画像データを一旦保持するメモリを設け、このメモリに画像データを一旦保持し、メモリに保持された画像データを許可されたタイミングでＬＣＤ表示部に対して送出している。
【００１６】
この場合の送出タイミングは、アイドルスロット内の空き時間で行われるように、タイミング制御回路にてコントロールされる。したがって、本発明の携帯電話装置は、通信中の画像表示（画像書換え）で発生する受信データ誤りを回避することが可能となり、受信妨害の問題を解決することが可能となる。
【００１７】
本発明の携帯電話装置では、上記のような構成とすることで、ＥＭＩ（Ｅｌｅｃｔｒｏ−Ｍａｇｎｅｔｉｃ  Ｉｎｔｅｒｆｅｒｅｎｃｅ：電磁波ノイズ）対策部品を使わず、受信に影響を与えないタイミングで、画像データ送出を制御することで、上述した受信妨害の問題を解決することが可能となる。
【００１８】
【発明の実施の形態】
次に、本発明の実施例について図面を参照して説明する。図１は本発明の一実施例による携帯電話機の構成例を示すブロック図である。図１において、携帯電話機１はアンテナ１１と、無線部１２と、制御部１３と、メインメモリ部１４と、キー入力部１５と、ＬＣＤコントローラ部１６と、ＬＣＤ表示部１７と、上記の各部で実行されるプログラム（コンピュータで実行可能なプログラム）を格納する記録媒体１８と、データバス１０１と、画像データバス１０２とから構成されている。
【００１９】
また、ＬＣＤコントローラ部１６はタイミング制御部１６１と、画像データを一旦保持するメモリ１６２と、出力部１６３とを備えている。このＬＣＤコントローラ部１６からの信号（画像データ）はＬＣＤ表示部１７にデータバス１０１を介して伝送され、ＬＣＤ表示部１７にて表示される。
【００２０】
制御部１３はアンテナ１１及び無線部１２を介して画像データが入力されると、その画像データを画像データバス１０２を介してＬＣＤコントローラ部１６に送る。
【００２１】
ＬＣＤコントローラ部１６のタイミング制御部１６１は制御部１３からの画像データをメモリ１６２に一旦保持する。タイミング制御部１６１はメモリ１６２に保持された画像データを読出し、制御部１３から無線部１２に出力されるタイミング信号に基づいて送出タイミングを決定し、その許可されたタイミングでデータバス１０１を介してＬＣＤ表示部１７に送出する。
【００２２】
尚、携帯電話機１にはＴＤＭＡ（Ｔｉｍｅ  Ｄｉｖｉｓｉｏｎ  Ｍｕｌｔｉｐｌｅ  Ａｃｃｅｓｓ）［ＰＤＣ（Ｐａｒｓｏｎａｌ  Ｄｉｇｉｔａｌ  ｃｅｌｌｕｌａｒ）方式］が用いられている。
【００２３】
図２は本発明の一実施例による画像データの送出タイミングを示す図であり、図３は図２のアイドル（Ｉｄｌｅ）スロット部分を拡大した図である。これら図１〜図３を参照して本発明の一実施例による画像データの送出タイミングについて説明する。
【００２４】
ＬＣＤ表示部１７に送出される画像データはＬＣＤコントローラ部１６内のタイミング制御部１６１によって送出制御されている。このタイミング制御部１６１による出力タイミングは、制御部１３から得られるアイドルスロットのタイミング信号を用いて制御され、図３に示すように、アイドルスロット内で行う周辺チャネルの電界レベル検出動作と重ならないタイミングで行われる。この場合、画像データの速度はアイドルスロット内の所定タイミングで伝送を完了させるために、伝送スピードを１２ＭＨｚ以上としている。
【００２５】
図４は本発明の一実施例による携帯電話機１の動作を示すフローチャートである。これら図１及び図４を参照して本発明の一実施例による携帯電話機１の通話中の動画表示の動作について説明する。尚、図４に示す処理は携帯電話機１の各部が記録媒体１８のプログラムを実行することで実現される。また、表示される動画画像はメインメモリ部１４に格納されているものとする。
【００２６】
携帯電話機１では通話中（図４ステップＳ１）、図２に示すように、一定のタイムスロット、つまり「送信（ＴＸ）」、「受信（ＲＸ）」、「アイドル（Ｉｄｌｅ）」の各スロットの順番で通信が行われている。
【００２７】
制御部１３はこの通話中に、メインメモリ部１４に格納されている画像データを読出し（図４ステップＳ２）、その画像データをＬＣＤコントローラ部１６に送ってＬＣＤコントローラ部１６内のメモリ部１６２に格納する（図４ステップＳ３）。
【００２８】
ＬＣＤコントローラ部１６内において、タイミング制御部１６１は制御部１３から得るＩｄｌｅスロットのタイミング信号を用い、データ送出が許可されたタイミングか否かの判定を行う（図４ステップＳ４）。タイミング制御部１６１は許可されたタイミングであれば、メモリ１６２に一時保持している画像データを、出力部１６３及びデータバス１０１を介してＬＣＤ表示部１７に送出する（図４ステップＳ５）。
【００２９】
このように、本実施例では、通信に直接関係のないアイドルスロットの空きタイミングでＬＣＤ表示部１７への画像データの伝送を行うことで、受信妨害の問題を根本的に回避することができ、従来のＬＣＤデータバスに付加していたＥＭＩ対策素子が必要なくなるので、部品削減とコストダウンと高密度実装化とを図ることができる。
【００３０】
図５は本発明の他の実施例による画像データの送出タイミングを示す図である。本発明の他の実施例による携帯電話機は図１に示す本発明の一実施例による携帯電話機１と同様の構成となっているが、画像データ送出のタイミング制御についてさらに工夫している。
【００３１】
ＴＤＭＡ（ＰＤＣ方式）の通信方式においては、通信中のアイドルスロットが２０ｍｓｅｃ周期で存在するので、図５に示すように、毎回、アイドルスロットの空き時間で１フレームの画像データの送出を行うことで、５０フレーム／ｓｅｃの速度で画面の書換えが可能となる。これによって、本実施例では、さらに高速描画が要求された場合においても、十分対応することがが可能となる。
【００３２】
図６は本発明の別の実施例による携帯電話機の構成例を示すブロック図である。図６において、本発明の別の実施例による携帯電話機２はＳＩＭカード（Ｓｕｂｓｃｒｉｂｅｒ  Ｉｄｅｎｔｉｔｙ  Ｍｏｄｕｌｅ  Ｃａｒｄ）２１を用いるＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎ）方式に適用した以外は、図１に示す本発明の一実施例による携帯電話機１と同様の構成となっており、同一構成要素には同一符号を付してある。
また、同一構成要素の動作、つまり上述したような画像表示の制御を含む動作は本発明の一実施例と同様である。
【００３３】
尚、本発明では、ＬＣＤ表示部１７への画像表示制御について述べたが、有機ＥＬディスプレイ（Ｏｒｇａｎｉｃ  ＥｌｅｃｔｒｏｌｕｍｉｎｅｓｃｅｎｃｅＤｉｓｐｌａｙ）等の表示部を用いる場合にも適用可能であり、これに限定されない。また、本発明はＴＤＭＡ方式が用いられていれば、その通信方法がいかなるものでも適用可能である。
【００３４】
【発明の効果】
以上説明したように本発明は、表示部への画像表示制御に用いられる表示コントローラを含む携帯電話装置において、表示コントローラが外部からのタイミング信号に応じて表示部への画像データの送出タイミングを制御することによって、受信妨害の問題を根本的に回避することができ、部品削減とコストダウンと高密度実装化とを図ることができるという効果が得られる。
【図面の簡単な説明】
【図１】本発明の一実施例による携帯電話機の構成例を示すブロック図である。
【図２】本発明の一実施例による画像データの送出タイミングを示す図である。
【図３】図２のアイドルスロット部分を拡大した図である。
【図４】本発明の一実施例による携帯電話機１の動作を示すフローチャートである。
【図５】本発明の他の実施例による画像データの送出タイミングを示す図である。
【図６】本発明の別の実施例による携帯電話機の構成例を示すブロック図である。
【図７】従来例による携帯電話機の構成例を示すブロック図である。
【図８】従来例による画像データの送出タイミングを示す図である。
【符号の説明】
１，２  携帯電話機
１１  アンテナ
１２  無線部
１３  制御部
１４  メインメモリ部
１５  キー入力部
１６  ＬＣＤコントローラ部
１７  ＬＣＤ表示部
１８  記録媒体
２１  ＳＩＭカード
１０１  データバス
１０２  画像データバス
【図１】
2004228816.tif 000003
【図２】
2004228816.tif 000004
【図３】
2004228816.tif 000005
【図４】
2004228816.tif 000006
【図５】
2004228816.tif 000007
【図６】
2004228816.tif 000008
【図７】
2004228816.tif 000009
【図８】
2004228816.tif 000010